(57)【要約】【課題】放送番組内でリアルタイムに結果が判明する当選者に対して、当選した権利情報をリアルタイムで放送により配信することはできなかった。【解決手段】放送サーバ１０４を備えた放送局１０１は帯ＴＶ受信端末１０２にデータ放送が実施され、放送局はスポンサー企業１０３に番組放送枠として販売し、番組枠の中でＣＭを実施するとともに、視聴者参加型の双方向番組提供し、受信端末は番組に参加し、クイズでの開発や懸賞への応募は、インターネット１０６を経由して行われ、当選者が決定された場合、権利情報が、データ放送により暗号化されて放送され、暗号化方式情報をあらかじめ放送サーバに登録しておき、特定の視聴者宛に権利情報の配信を行うことが可能となり、自分が登録した暗号化方式で暗号解読し、権利情報を保存している受信端末を店舗システム１０５を運営している店舗に持参し、景品を受け取ることができる。【選択図】      図１
2006013604.tif 000002
【特許請求の範囲】
【請求項１】
放送コンテンツとその放送コンテンツに関連する権利情報を同時に放送する、放送コンテンツを暗号化するための手段とを有する、放送システムにおいて、権利情報を放送により送達させたい特定の視聴者からあらかじめ視聴者の個人識別情報の指定を行う手段と、指定された視聴者の個人識別情報手段を用いて権利情報を放送する手段と、当該放送を受信した受信機は指定した視聴者の個人識別情報手段を用いて放送されてきた権利情報の解読を行うための手段を有することを特徴とする放送による権利情報の配信システム。
【請求項２】
放送コンテンツとその放送コンテンツに関連する権利情報を同時に放送する、放送コンテンツを暗号化するための手段とを有する、放送システムにおいて、権利情報を放送により送達させたい特定の視聴者からあらかじめ権利情報の暗号化手段の指定を行う手段と、指定された暗号化手段を用いて権利情報の暗号化を行い放送する手段と、当該放送を受信した受信機は指定した暗号化手段を用いて放送されてきた権利情報の暗号解読を行うための手段を有することを特徴とする放送による権利情報の配信システム。
【請求項３】
前記暗号化手段の指定を行う手段として、暗号化手段の暗号化に使用する鍵情報の指定を行う手段としたことを特徴とする請求項２の放送による権利情報の配信システム。
【請求項４】
映像・音声コンテンツおよびそれに連動したデータ放送コンテンツの暗号化方式と、前記権利情報の暗号化方式が異なる方式であることを特徴とする請求項２から請求項３記載のいずれかの放送による権利情報の配信システム。
【請求項５】
前記放送システムの受信機には、受信中の番組に通信を介して参加する機能を有し、クイズや懸賞に応募するために、クイズの回答や懸賞への応募情報を送信する際に、返信を期待する権利情報に対する暗号化方式を指定するための情報を付加して送信することを特徴とする請求項２から請求項３記載のいずれかの放送による権利情報の配信システム。
【請求項６】
前記放送システムの受信機には、放送されてくる放送コンテンツを常に監視し、暗号化された権利情報を受信した場合には、自分が指定した暗号化方式により暗号解読を試みる手段と、暗号が解読された場合には、自分宛の権利情報を受信したことを提示する手段を有することを特徴とする請求項２から請求項３記載のいずれかの放送による権利情報の配信システム。
【請求項７】
前記放送システムの放送サーバには、双方向番組に応募してくる視聴者から指定される暗号化方式に関する情報を取得する手段と、一時的に前記暗号化方式に関する情報を応募してきた視聴者情報と関連付けて蓄積するための手段と、当選者があらかじめ応募時に指定した暗号化方式に関する情報を用いて当選した権利情報を暗号化して放送するための手段を有することを特徴とする請求項２から請求項３記載のいずれかの放送による権利情報の配信システム。
【請求項８】
前記放送システムの放送サーバには、同時に複数の視聴者に対して、複数の暗号化された前記権利情報を生成して放送するための手段を有することを特徴とする請求項２から請求項３記載のいずれかの放送による権利情報の配信システム。
【請求項９】
前記放送システムは、公開鍵暗号基盤（ＰＫＩ）に基づく公開鍵暗号方式により放送コンテンツの暗号化を行い、受信機側では、自分の秘密鍵をもちいて暗号の解読を行うシステムであることを特徴とする請求項２から請求項３記載のいずれかの放送による権利情報の配信システム。
【請求項１０】
前記放送システムは、リアルタイムに放送を受信して、暗号化された前記権利情報を取得した視聴者にのみ、前記権利情報の使用を認めることを特徴とする請求項１記載から請求項３記載のいずれかの放送による権利情報の配信システム。
【請求項１１】
前記放送システムは、番組制作者または番組提供者の要求する、視聴を行った視聴者、または視聴時間に視聴を行った視聴者、または視聴シーンの視聴を行った視聴者でかつ、暗号化された前記権利情報を取得した視聴者にのみ、前記権利情報の使用を認めることを特徴とする請求項１記載から請求項３記載のいずれかの放送による権利情報の配信システム。
【請求項１２】
前記放送システムは、録画して放送を視聴者が当選して権利情報を取得した場合には、取得した前記権利情報が録画による視聴にて取得されたことを識別するための手段を有することを特徴とする請求項１記載から請求項３記載のいずれかの放送による権利情報の配信システム。
【請求項１３】
放送システムの放送サーバは、双方向番組に応募してくる視聴者から指定される暗号化方式に関する情報を取得し、一時的に前記暗号化方式に関する情報を応募してきた視聴者情報と関連付けて蓄積し、当選者があらかじめ応募時に指定した暗号化方式に関する情報を用いて当選した権利情報を暗号化して放送することを特徴とする放送サーバ。
【請求項１４】
前記放送システムの放送サーバは、同時に複数の視聴者に対して、複数の暗号化された前記権利情報を生成して放送することを特徴とする請求項１３記載の放送サーバ。
【請求項１５】
放送システムの受信機は、受信中の番組に通信を介して参加する機能を有し、クイズや懸賞に応募するために、クイズの回答や懸賞への応募情報を送信する際に、返信を期待する権利情報に対する暗号化方式を指定するための情報を付加して送信することを特徴とする受信機。
【請求項１６】
前記放送システムの受信機は、放送されてくる放送コンテンツを常に監視し、暗号化された前記権利情報を受信した場合には、自分が指定した前記暗号化方式により暗号解読を試み、暗号が解読された場合には、自分宛の前記権利情報を受信したことを提示することを特徴とする請求項１５記載の受信機。
【請求項１７】
放送コンテンツとその放送コンテンツに関連する権利情報を同時に放送する、放送コンテンツを暗号化するための手段とを有する、放送システムにおける店舗システムでの権利行使方法であって、
暗号鍵で暗号解読を行った権利情報は、店舗システムで権利行使ができるデータに変換するようにしたことを特徴とする店舗システムでの権利行使方法。
【請求項１８】
前記データを電子チケットに変換したことを特徴とする請求項１７記載の店舗システムでの権利行使方法。
【請求項１９】
前記店舗システムは権利行使された情報に基づきその決済を行うため放送局またはスポンサー企業と通信し、決済処理を行うことを特徴とする請求項１７または請求項１８記載の店舗システムでの権利行使方法。
【請求項２０】
権利情報を放送により送達させたい特定の視聴者からあらかじめ権利情報の暗号化手段の指定を行い、指定された暗号化手段を用いて権利情報の暗号化を行い放送し、当該放送を受信した受信機は指定した暗号化手段を用いて放送されてきた権利情報の暗号解読を行うことを特徴とする放送による権利情報の配信方法。
【請求項２１】
放送コンテンツとその放送コンテンツに関連する権利情報を同時に放送し、放送コンテンツを暗号化するための手段とを有する放送サーバを備えた放送局と、前記放送コンテンツと、その放送コンテンツに関連する権利情報を受信する視聴者が携帯する受信機とで構成された放送システムにおける放送による権利情報の配信方法であって、
前記放送局は、前記権利情報を放送により送達させたい特定の視聴者からあらかじめ前記権利情報の暗号化手段の指定を行い、指定された暗号化手段を用いて権利情報の暗号化を行い放送し、当該放送を受信した前記視聴者が携帯する受信機は指定した暗号化手段を用いて放送されてきた権利情報の暗号解読を行うことを特徴とする放送による権利情報の配信方法。
【請求項２２】
前記暗号化手段の指定を暗号化に使用する鍵情報の指定によることを特徴とする請求項２０または請求項２１記載の放送による権利情報の配信方法。
【請求項２３】
映像・音声コンテンツおよびそれに連動したデータ放送コンテンツの暗号化方式と、権利情報の暗号化方式が異なる方式であることを特徴とする請求項２０から請求項２３記載のいずれかの放送による権利情報の配信方法。
【請求項２４】
放送システムの受信機は、受信中の番組に通信を介して参加する機能を有し、クイズや懸賞に応募するために、クイズの回答や懸賞への応募情報を送信する際に、返信を期待する権利情報に対する暗号化方式を指定するための情報を付加して送信することを特徴とする放送による権利情報の配信方法。
【請求項２５】
前記放送システムの受信機は、放送されてくる放送コンテンツを常に監視し、暗号化された前記権利情報を受信した場合には、自分が指定した暗号化方式により暗号解読を試み、暗号が解読された場合には、自分宛の権利情報を受信したことを提示することを特徴とする請求項２４記載の放送による権利情報の配信方法。
【請求項２６】
前記放送システムの受信機は、自分宛の受信した前記権利情報が当選したことを提示することを特徴とする請求項２５記載の放送による権利情報の配信方法。
【請求項２７】
前記放送システムの放送サーバは、双方向番組に応募してくる視聴者から指定される暗号化方式に関する情報を取得し、一時的に前記暗号化方式に関する情報を応募してきた視聴者情報と関連付けて蓄積し、当選者があらかじめ応募時に指定した暗号化方式に関する情報を用いて当選した権利情報を暗号化して放送することを特徴とする請求項２０から請求項２３記載のいずれかの放送による権利情報の配信方法。
【請求項２８】
前記放送システムは、公開鍵暗号基盤（ＰＫＩ）に基づく公開鍵暗号方式により放送コンテンツの暗号化を行い、受信機側では、自分の秘密鍵をもちいて暗号の解読を行うシステムであることを特徴とする請求項２０から請求項２７記載のいずれかの放送による権利情報の配信方法。
【請求項２９】
前記放送システムは、リアルタイムに放送を受信して、暗号化された前記権利情報を取得した視聴者にのみ、前記権利情報を使用する権利を付与することを特徴とする請求項２０から請求項２８記載のいずれかの放送による権利情報の配信方法。
【請求項３０】
前記放送システムは、番組制作者または番組提供者の要求する、視聴を行った視聴者、または視聴時間に視聴を行った視聴者、または視聴シーンの視聴を行った視聴者でかつ、暗号化された前記権利情報を取得した視聴者にのみ、前記権利情報の使用を認めることを特徴とする請求項２０記載から請求項２８記載のいずれかの放送による権利情報の配信方法。
【請求項３１】
前記放送システムは、録画して放送を視聴者が当選して前記権利情報を取得した場合には、取得した前記権利情報が録画による視聴にて取得されたことを識別することを特徴とする請求項２０から請求項２８記載のいずれかの放送による権利情報の配信方法。
【請求項３２】
放送による権利情報の配信処理において、データ放送を受信した受信機は、暗号鍵で暗号解読を行った権利情報を、店舗システムで権利行使ができるデータに変換するようにしたことを特徴とする放送による権利情報の配信処理をコンピュータに実行させるためのプログラム。
【請求項３３】
前記データを電子チケットに変換したことを特徴とする請求項３３記載のプログラム。
【請求項３４】
受信機により前記暗号鍵で暗号解読を行った権利情報は、店舗システムで権利行使ができるデータに変換し、店舗システムは権利行使された情報に基づきその決済を行うため前記放送局またはスポンサー企業と通信し、決済処理を行うことを特徴とする放送による権利情報の配信処理をコンピュータに実行させるためのプログラム。
【請求項３５】
映像・音声コンテンツおよびそれに連動したデータ放送コンテンツの暗号化方式と、権利情報の暗号化方式が異なる方式で行うことを特徴とする請求項３２から請求項３４記載のいずれかの放送による権利情報の配信処理をコンピュータに実行させるためのプログラム。
【請求項３６】
放送システムの受信機は、受信中の番組に通信を介して参加する機能を有し、クイズや懸賞に応募するために、クイズの回答や懸賞への応募情報を送信する際に、返信を期待する権利情報に対する暗号化方式を指定するための情報を付加して送信することを特徴とする放送による権利情報の配信処理をコンピュータに実行させるためのプログラム。
【請求項３７】
放送システムの受信機は、放送されてくる放送コンテンツを常に監視し、暗号化された権利情報を受信した場合は、自分が指定した暗号化方式により暗号解読を試み、暗号が解読された場合には、自分宛の権利情報を受信したことを提示することを特徴とする放送による権利情報の配信処理をコンピュータに実行させるためのプログラム。
【請求項３８】
放送システムの放送サーバは、双方向番組に応募してくる視聴者から指定される暗号化方式に関する情報を取得し、一時的に前記暗号化方式に関する情報を応募してきた視聴者情報と関連付けて蓄積し、当選者があらかじめ応募時に指定した暗号化方式に関する情報を用いて当選した権利情報を暗号化して放送することを特徴とする放送による権利情報の配信処理をコンピュータに実行させるためのプログラム。
【請求項３９】
放送システムの放送サーバは、同時に複数の視聴者に対して、複数の暗号化された権利情報を生成して放送することを特徴とする放送による権利情報の配信処理をコンピュータに実行させるためのプログラム。
【請求項４０】
放送システムは、リアルタイムに放送を受信して、暗号化された前記権利情報を取得した視聴者にのみ、前記権利情報を使用する権利を付与することを特徴とする放送による権利情報の配信処理をコンピュータに実行させるためのプログラム。
【請求項４１】
放送システムは、番組制作者または番組提供者の要求する、視聴を行った視聴者、または視聴時間に視聴を行った視聴者、または視聴シーンの視聴を行った視聴者でかつ、暗号化された前記権利情報を取得した視聴者にのみ、前記権利情報の使用を認めることを特徴とする放送による権利情報の配信処理をコンピュータに実行させるためのプログラム。
【請求項４２】
放送システムは、録画して放送を視聴者が当選して前記権利情報を取得した場合には、取得した前記権利情報が録画による視聴にて取得されたことを識別することを特徴とする放送による権利情報の配信処理をコンピュータに実行させるためのプログラム。
【請求項４３】
放送コンテンツとその放送コンテンツに関連する権利情報を同時に放送することを特徴とする放送による権利情報の配信システム。
【請求項４４】
放送コンテンツとその放送コンテンツに関連する権利情報を同時に放送することを特徴とする放送による権利情報の配信方法。
【請求項４５】
放送コンテンツとその放送コンテンツに関連する権利情報を同時に放送することを特徴とする放送による権利情報の配信処理をコンピュータに実行させるためのプログラム。
【請求項４６】
視聴者の個人情報を店舗システムに入力し個人情報を権利行使による決済処理が行われる際に店舗システムから放送局、またはスポンサー企業に送信することを特徴とする請求項１から請求項１２および請求項４３記載のいずれかの放送による権利情報の配信システム。
【請求項４７】
視聴者の個人情報を店舗システムに入力し個人情報を権利行使による決済処理が行われる際に店舗システムから放送局、またはスポンサー企業に送信することを特徴とする請求項１３または請求項１４記載の放送サーバ。
【請求項４８】
視聴者の個人情報を店舗システムに入力し個人情報を権利行使による決済処理が行われる際に店舗システムから放送局、またはスポンサー企業に送信することを特徴とする請求項１５または請求項１６記載の受信機。
【請求項４９】
視聴者の個人情報を店舗システムに入力し個人情報を権利行使による決済処理が行われる際に店舗システムから放送局、またはスポンサー企業に送信することを特徴とする請求項１７から請求項１９記載のいずれかの店舗システムでの権利行使方法。
【請求項５０】
視聴者の個人情報を店舗システムに入力し個人情報を権利行使による決済処理が行われる際に店舗システムから放送局、またはスポンサー企業に送信することを特徴とする請求項２０から請求項３１および請求項４４記載のいずれかの放送による権利情報の配信方法。
【請求項５１】
視聴者の個人情報を店舗システムに入力し個人情報を権利行使による決済処理が行われる際に店舗システムから放送局、またはスポンサー企業に送信することを特徴とする請求項３２から請求項４２および請求項４５記載のいずれかのプログラム。
【請求項５２】
視聴者の番組進行中の視聴履歴情報を受信機に記録することにより視聴を行っていた視聴者にのみ権利を付与するようにすることを特徴とする請求項１から請求項１２記載のいずれかの放送による権利情報の配信システム。
【請求項５３】
視聴者の番組進行中の視聴履歴情報を受信機に記録することにより視聴を行っていた視聴者にのみ権利を付与するようにすることを特徴とする請求項１３または請求項１４記載の放送サーバ。
【請求項５４】
視聴者の番組進行中の視聴履歴情報を受信機に記録することにより視聴を行っていた視聴者にのみ権利を付与するようにすることを特徴とする請求項１５または請求項１６記載の受信機。
【請求項５５】
視聴者の番組進行中の視聴履歴情報を受信機に記録することにより視聴を行っていた視聴者にのみ権利を付与するようにすることを特徴とする請求項１７から請求項１９記載のいずれかの店舗システムでの権利行使方法。
【請求項５６】
視聴者の番組進行中の視聴履歴情報を受信機に記録することにより視聴を行っていた視聴者にのみ権利を付与するようにすることを特徴とする請求項２０から請求項３１記載のいずれかの放送による権利情報の配信方法。
【請求項５７】
視聴者の番組進行中の視聴履歴情報を受信機に記録することにより視聴を行っていた視聴者にのみ権利を付与するようにすることを特徴とする請求項３２から請求項４２記載のいずれかのプログラム。
【発明の詳細な説明】
【技術分野】
【０００１】
本発明は放送による権利情報の配信システムと放送サーバと受信機と放送による権利情報の配信方法と店舗システムでの権利行使方法およびプログラムに関し、特に放送システムにより放送される放送コンテンツとして視聴者に提供する権利情報（クーポンやチケット、その他懸賞の当選権利など）を放送し、これを放送受信機で受信した視聴者が、視聴者個人宛に送達された権利情報を受け取ることが可能となる放送により権利情報の配信システムで放送により配信するための特定個人向け権利情報を暗号化して配信する放送による権利情報の配信システムと放送サーバと受信機と放送による権利情報の配信方法と店舗システムでの権利行使方法およびプログラムに関する。
【背景技術】
【０００２】
従来、デジタル放送では、データ放送サービスが実施されており、通信と連動した双方向番組サービスなどが実施され始めている。このような双方向番組サービスでは、視聴者が通信を介して直接番組に参加するケースが多い。この場合、視聴者がクイズや懸賞で当選した場合、従来は通信経由にてメールなどで通知されたり、賞品発送を持って通知されたりしていた。
【０００３】
従来の技術として、特開２００３−３３１０８６号公報がある（特許文献１参照。）。
【０００４】
これは、懸賞サーバに対し、車載ナビゲーション装置が、放送中に景品の懸賞の募集に関する電子メールを懸賞サーバから受信し、懸賞に応募する。懸賞サーバは、車載ナビゲーション装置の使用者を含めた各応募者に対して、抽選を行う。この抽選の結果、当該使用者が当選した場合には、この抽選に当選したことを使用者に通知する。それとともに、景品を受け渡す商業施設の位置情報を使用者に通知するための電子メール（当選通知信号：場所通知信号）を、インターネット、および基地局を介して携帯電話に送信する。
【０００５】
【特許文献１】特開２００３−３３１０８６号公報（［要約］および［００５４］）
【発明の開示】
【発明が解決しようとする課題】
【０００６】
しかしながら、上記背景技術では、当選した視聴者にリアルタイムで権利情報を配信することはできなかった。
【０００７】
その理由は、視聴者がクイズや懸賞で当選した場合、通信経由にてメールなどで通知したり、賞品発送を持って通知したりしていたからである。
（発明の目的）
そこで、本発明の目的は、データ放送などの放送波により、特定個人向けの権利情報を配信するとともに、放送を受信した時点で該当する特定個人がその権利情報を取得可能な、放送による権利情報の配信システムと放送サーバと受信機と放送による権利情報の配信方法と店舗システムでの権利行使方法およびプログラムを提供することにある。
【課題を解決するための手段】
【０００８】
第１の発明の放送による権利情報の配信システムは、放送コンテンツとその放送コンテンツに関連する権利情報を同時に放送する、放送コンテンツを暗号化するための手段とを有する、放送システムにおいて、権利情報を放送により送達させたい特定の視聴者からあらかじめ視聴者の個人識別情報の指定を行う手段と、指定された視聴者の個人識別情報手段を用いて権利情報を放送する手段と、当該放送を受信した受信機は指定した視聴者の個人識別情報手段を用いて放送されてきた権利情報の解読を行うための手段を有する。
【０００９】
また、第２の発明の放送による権利情報の配信システムは、放送コンテンツとその放送コンテンツに関連する権利情報を同時に放送する、放送コンテンツを暗号化するための手段とを有する、放送システムにおいて、権利情報を放送により送達させたい特定の視聴者からあらかじめ権利情報の暗号化手段の指定を行う手段と、指定された暗号化手段を用いて権利情報の暗号化を行い放送する手段と、当該放送を受信した受信機は指定した暗号化手段を用いて放送されてきた権利情報の暗号解読を行うための手段を有する。
【００１０】
前記暗号化手段の指定を行う手段として、暗号化手段の暗号化に使用する鍵情報の指定を行う手段としてもよい。
【００１１】
映像・音声コンテンツおよびそれに連動したデータ放送コンテンツの暗号化方式と、前記権利情報の暗号化方式が異なる方式であってもよい。
【００１２】
前記放送システムの受信機には、受信中の番組に通信を介して参加する機能を有し、クイズや懸賞に応募するために、クイズの回答や懸賞への応募情報を送信する際に、返信を期待する権利情報に対する暗号化方式を指定するための情報を付加して送信してもよい。
【００１３】
前記放送システムの受信機には、放送されてくる放送コンテンツを常に監視し、暗号化された権利情報を受信した場合には、自分が指定した暗号化方式により暗号解読を試みる手段と、暗号が解読された場合には、自分宛の権利情報を受信したことを提示する手段を有してもよい。
【００１４】
前記放送システムの放送サーバには、双方向番組に応募してくる視聴者から指定される暗号化方式に関する情報を取得する手段と、一時的に前記暗号化方式に関する情報を応募してきた視聴者情報と関連付けて蓄積するための手段と、当選者があらかじめ応募時に指定した暗号化方式に関する情報を用いて当選した権利情報を暗号化して放送するための手段を有してもよい。
【００１５】
前記放送システムの放送サーバには、同時に複数の視聴者に対して、複数の暗号化された前記権利情報を生成して放送するための手段を有してもよい。
【００１６】
前記放送システムは、公開鍵暗号基盤（ＰＫＩ）に基づく公開鍵暗号方式により放送コンテンツの暗号化を行い、受信機側では、自分の秘密鍵をもちいて暗号の解読を行うシステムであってもよい。
【００１７】
前記放送システムは、リアルタイムに放送を受信して、暗号化された前記権利情報を取得した視聴者にのみ、前記権利情報の使用を認めるものであってもよい。
【００１８】
前記放送システムは、番組制作者または番組提供者の要求する、視聴を行った視聴者、または視聴時間に視聴を行った視聴者、または視聴シーンの視聴を行った視聴者でかつ、暗号化された前記権利情報を取得した視聴者にのみ、前記権利情報の使用を認めるものであってもよい。
【００１９】
前記放送システムは、録画して放送を視聴者が当選して権利情報を取得した場合には、取得した前記権利情報が録画による視聴にて取得されたことを識別するための手段を有するものであってもよい。
【００２０】
また、第３の発明の放送サーバは、放送システムの放送サーバは、双方向番組に応募してくる視聴者から指定される暗号化方式に関する情報を取得し、一時的に前記暗号化方式に関する情報を応募してきた視聴者情報と関連付けて蓄積し、当選者があらかじめ応募時に指定した暗号化方式に関する情報を用いて当選した権利情報を暗号化して放送する。
【００２１】
前記放送システムの放送サーバは、同時に複数の視聴者に対して、複数の暗号化された前記権利情報を生成して放送するものであってもよい。
【００２２】
また、第４の発明の受信機は、放送システムの受信機は、受信中の番組に通信を介して参加する機能を有し、クイズや懸賞に応募するために、クイズの回答や懸賞への応募情報を送信する際に、返信を期待する権利情報に対する暗号化方式を指定するための情報を付加して送信する。
【００２３】
前記放送システムの受信機は、放送されてくる放送コンテンツを常に監視し、暗号化された前記権利情報を受信した場合には、自分が指定した前記暗号化方式により暗号解読を試み、暗号が解読された場合には、自分宛の前記権利情報を受信したことを提示するものであってもよい。
【００２４】
また、第５の発明の店舗システムでの権利行使方法は、放送コンテンツとその放送コンテンツに関連する権利情報を同時に放送する、放送コンテンツを暗号化するための手段とを有する、放送システムにおける店舗システムでの権利行使方法であって、
暗号鍵で暗号解読を行った権利情報は、店舗システムで権利行使ができるデータに変換し、付与された権利を行使するようにした。
【００２５】
前記データを電子チケットに変換したものであってもよい。
【００２６】
前記店舗システムは権利行使された情報に基づきその決済を行うため放送局またはスポンサー企業と通信し、決済処理を行うものであってもよい。
【００２７】
また、第６の発明の放送による権利情報の配信方法は、権利情報を放送により送達させたい特定の視聴者からあらかじめ権利情報の暗号化手段の指定を行い、指定された暗号化手段を用いて権利情報の暗号化を行い放送し、当該放送を受信した受信機は指定した暗号化手段を用いて放送されてきた権利情報の暗号解読を行う。
【００２８】
また、第７の発明の放送による権利情報の配信方法は、放送コンテンツとその放送コンテンツに関連する権利情報を同時に放送し、放送コンテンツを暗号化するための手段とを有する放送サーバを備えた放送局と、前記放送コンテンツと、その放送コンテンツに関連する権利情報を受信する視聴者が携帯する受信機とで構成された放送システムにおける放送による権利情報の配信方法であって、
前記放送局は、前記権利情報を放送により送達させたい特定の視聴者からあらかじめ前記権利情報の暗号化手段の指定を行い、指定された暗号化手段を用いて権利情報の暗号化を行い放送し、当該放送を受信した前記視聴者が携帯する受信機は指定した暗号化手段を用いて放送されてきた権利情報の暗号解読を行う。
【００２９】
前記暗号化手段の指定を暗号化に使用する鍵情報の指定によるものであってもよい。
【００３０】
映像・音声コンテンツおよびそれに連動したデータ放送コンテンツの暗号化方式と、権利情報の暗号化方式が異なる方式であってもよい。
【００３１】
放送システムの受信機は、受信中の番組に通信を介して参加する機能を有し、クイズや懸賞に応募するために、クイズの回答や懸賞への応募情報を送信する際に、返信を期待する権利情報に対する暗号化方式を指定するための情報を付加して送信するものであってもよい。
【００３２】
前記放送システムの受信機は、放送されてくる放送コンテンツを常に監視し、暗号化された前記権利情報を受信した場合には、自分が指定した暗号化方式により暗号解読を試み、暗号が解読された場合には、自分宛の権利情報を受信するものであってもよい。
【００３３】
前記放送システムの受信機は、自分宛の受信した前記権利情報が当選したことを提示するものであってもよい。
【００３４】
前記放送システムの放送サーバは、双方向番組に応募してくる視聴者から指定される暗号化方式に関する情報を取得し、一時的に前記暗号化方式に関する情報を応募してきた視聴者情報と関連付けて蓄積し、当選者があらかじめ応募時に指定した暗号化方式に関する情報を用いて当選した権利情報を暗号化して放送するものであってもよい。
【００３５】
前記放送システムは、公開鍵暗号基盤（ＰＫＩ）に基づく公開鍵暗号方式により放送コンテンツの暗号化を行い、受信機側では、自分の秘密鍵をもちいて暗号の解読を行うシステムであってもよいある。
【００３６】
前記放送システムは、リアルタイムに放送を受信して、暗号化された前記権利情報を取得した視聴者にのみ、前記権利情報を使用する権利を付与するものであってもよい。
【００３７】
前記放送システムは、番組制作者または番組提供者の要求する、視聴を行った視聴者、または視聴時間に視聴を行った視聴者、または視聴シーンの視聴を行った視聴者でかつ、暗号化された前記権利情報を取得した視聴者にのみ、前記権利情報の使用を認めるものであってもよい。
【００３８】
前記放送システムは、録画して放送を視聴者が当選して前記権利情報を取得した場合には、取得した前記権利情報が録画による視聴にて取得されたことを識別するものであってもよい。
【００３９】
また、第８の発明のプログラムは、放送による権利情報の配信処理において、データ放送を受信した受信機は、暗号鍵で暗号解読を行った権利情報を、店舗システムで権利行使ができるデータに変換し、付与された権利を行使するようにしたことを特徴とする放送による権利情報の配信処理をコンピュータに実行させる。
【００４０】
前記データを電子チケットに変換したプログラムであってもよい。
【００４１】
また、第９の発明のプログラムは、受信機により前記暗号鍵で暗号解読を行った権利情報は、店舗システムで権利行使ができるデータに変換し、付与された権利を行使するようにし、店舗システムは権利行使された情報に基づきその決済を行うため前記放送局またはスポンサー企業と通信し、決済処理を行う。
【００４２】
映像・音声コンテンツおよびそれに連動したデータ放送コンテンツの暗号化方式と、権利情報の暗号化方式が異なる方式で行うためのプログラムであってもよい。
【００４３】
放送システムの受信機は、受信中の番組に通信を介して参加する機能を有し、クイズや懸賞に応募するために、クイズの回答や懸賞への応募情報を送信する際に、返信を期待する権利情報に対する暗号化方式を指定するための情報を付加して送信するためのプログラムであってもよい。
【００４４】
また、第１０の発明のプログラムは、放送システムの受信機が、放送されてくる放送コンテンツを常に監視し、暗号化された権利情報を受信した場合は、自分が指定した暗号化方式により暗号解読を試み、暗号が解読された場合には、自分宛の権利情報を受信したことを提示する。
【００４５】
また、第１１の発明のプログラムは、放送システムの放送サーバが、双方向番組に応募してくる視聴者から指定される暗号化方式に関する情報を取得し、一時的に前記暗号化方式に関する情報を応募してきた視聴者情報と関連付けて蓄積し、当選者があらかじめ応募時に指定した暗号化方式に関する情報を用いて当選した権利情報を暗号化して放送する。
【００４６】
また、第１２の発明のプログラムは、放送システムの放送サーバは、同時に複数の視聴者に対して、複数の暗号化された権利情報を生成して放送する。
【００４７】
また、第１３の発明のプログラムは、放送システムは、リアルタイムに放送を受信して、暗号化された前記権利情報を取得した視聴者にのみ、前記権利情報を使用する権利を付与する。
【００４８】
また、第１４の発明のプログラムは、放送システムは、番組制作者または番組提供者の要求する、視聴を行った視聴者、または視聴時間に視聴を行った視聴者、または視聴シーンの視聴を行った視聴者でかつ、暗号化された前記権利情報を取得した視聴者にのみ、前記権利情報の使用を認める。
【００４９】
また、第１５の発明のプログラムは、放送システムは、録画して放送を視聴者が当選して前記権利情報を取得した場合には、取得した前記権利情報が録画による視聴にて取得されたことを識別する。
【００５０】
また、第１６の発明の放送による権利情報の配信システムは、放送コンテンツとその放送コンテンツに関連する権利情報を同時に放送する。
【００５１】
また、第１７の発明の放送による権利情報の配信方法は、放送コンテンツとその放送コンテンツに関連する権利情報を同時に放送する。
【００５２】
また、第１８の発明のプログラムは、放送コンテンツとその放送コンテンツに関連する権利情報を同時に放送する。
【００５３】
また、第１９の発明の放送による権利情報の配信システムは、視聴者の個人情報を店舗システムに入力し個人情報を権利行使による決済処理が行われる際に店舗システムから放送局、またはスポンサー企業に送信する。
【００５４】
また、第２０の発明の放送サーバは、視聴者の個人情報を店舗システムに入力し個人情報を権利行使による決済処理が行われる際に店舗システムから放送局、またはスポンサー企業に送信する。
【００５５】
また、第２１の発明の受信機は、視聴者の個人情報を店舗システムに入力し個人情報を権利行使による決済処理が行われる際に店舗システムから放送局、またはスポンサー企業に送信する。
【００５６】
また、第２２の発明の店舗システムでの権利行使方法は、視聴者の個人情報を店舗システムに入力し個人情報を権利行使による決済処理が行われる際に店舗システムから放送局、またはスポンサー企業に送信する。
【００５７】
また、第２３の発明の放送による権利情報の配信方法は、視聴者の個人情報を店舗システムに入力し個人情報を権利行使による決済処理が行われる際に店舗システムから放送局、またはスポンサー企業に送信する。
【００５８】
また、第２４の発明のプログラムは、視聴者の個人情報を店舗システムに入力し個人情報を権利行使による決済処理が行われる際に店舗システムから放送局、またはスポンサー企業に送信する。
【００５９】
また、第２５の発明の放送による権利情報の配信システムは、視聴者の番組進行中の視聴履歴情報を受信機に記録することにより視聴を行っていた視聴者にのみ権利を付与するようにする。
【００６０】
また、第２６の発明の放送サーバは、視聴者の番組進行中の視聴履歴情報を受信機に記録することにより視聴を行っていた視聴者にのみ権利を付与するようにする。
【００６１】
また、第２７の発明の受信機は、視聴者の番組進行中の視聴履歴情報を受信機に記録することにより視聴を行っていた視聴者にのみ権利を付与するようにする。
【００６２】
また、第２８の発明の店舗システムでの権利行使方法は、視聴者の番組進行中の視聴履歴情報を受信機に記録することにより視聴を行っていた視聴者にのみ権利を付与するようにする。
【００６３】
また、第２９の発明の放送による権利情報の配信方法は、視聴者の番組進行中の視聴履歴情報を受信機に記録することにより視聴を行っていた視聴者にのみ権利を付与するようにする。
【００６４】
また、第３０の発明のプログラムは、視聴者の番組進行中の視聴履歴情報を受信機に記録することにより視聴を行っていた視聴者にのみ権利を付与するようにする。
【発明の効果】
【００６５】
以上説明したように、本発明の放送による権利情報の配信システムと放送サーバと受信機と放送による権利情報の配信方法と店舗システムでの権利行使方法およびプログラムによる効果は、視聴者参加型の双方向番組において、放送番組内でリアルタイムに結果が判明する当選者に対して、当選した権利情報をリアルタイムで配信することができるようになったことである。
【００６６】
その理由は、視聴者がクイズや懸賞で当選した場合、従来は通信経由にてメールなどで通知されたり、賞品発送を持って通知されたりしていたのを放送により配信することができるようになったためである。
【発明を実施するための最良の形態】
【００６７】
次に、本発明を実施するための最良の形態について図面を参照して説明する。
【００６８】
初めに、本発明の第１の実施の形態について図面を参照して説明する。
【００６９】
図１は実施の形態の配信システムを示す構成図である。図１を参照すると、放送局１０１には、放送サーバ１０４が稼動しており、放送コンテンツ（特にデータ放送コンテンツ）の管理等を行っている。また、放送局１０１は、携帯ＴＶ受信端末１０２に向けたデジタルＴＶ放送サービスを実施している。このデジタルＴＶ放送サービスにはコンテンツとして映像、音声を放送するデータ放送と同時に権利情報を放送するデータ放送が実施されている。
【００７０】
携帯ＴＶ受信端末１０２はこのデジタルＴＶ放送サービスを受信するとともに、他方では携帯電話などの通信機能により、インターネットアクセスが行える機能を有している。
【００７１】
放送局１０１は放送番組を作成、編成したものをスポンサー企業１０３に番組放送枠として販売し、その番組枠のスポンサーとしてスポンサー企業１０３を獲得する。スポンサー企業１０３は購入した番組枠の中でＣＭを実施するとともに、視聴者参加型の双方向番組（例えばクイズ番組や懸賞番組など）を提供する。このような場合、提供する番組に対して自社の商品やサービスを景品として提供する場合がある。
【００７２】
一方、携帯ＴＶ受信端末１０２では、放送されている番組を受信するとともに、通信機能を用いて、視聴者参加型双方向番組に参加することができる。携帯ＴＶ受信端末１０２で視聴者参加型双方向番組に参加する場合、クイズでの回答や懸賞への応募は、携帯ＴＶ受信端末１０２の有する通信機能を用いてインターネット１０６を経由して行われる。
【００７３】
番組の進行にてクイズへの正解者が選定されたり、懸賞応募者から抽選で当選者が決定される。当選者が決定された場合、その当選者に対して、当選した商品やサービスの景品を得るための権利情報が、データ放送により放送される。
【００７４】
データ放送で権利情報を放送する場合、当選者を特定するために、権利情報は暗号化されて放送される。権利情報を暗号化する際に使用される暗号化方式情報（例えば、特定の暗号化アルゴリズムにおいて暗号化に使用される鍵情報など）がある。
【００７５】
この暗号化方式情報を前もって放送局１０１内の放送サーバ１０４に登録しておく第１の方法がある。あるいは、前記双方向番組に参加する時、携帯ＴＶ受信端末１０２から、応募する際の応募データの送信と同時に、暗号化方式情報を付加して送信し放送局１０１内の放送サーバ１０４に登録する第２の方法がある。いずれかの方法を取ることにより放送サーバ１０４は、当該視聴者が当選した場合に、権利情報を暗号化する際に使用される暗号化方式情報を用いて、権利情報の暗号化を行い、データ放送で放送する。そして、当選した該当視聴者のみが、予め登録した暗号化方式情報を用いて権利情報の暗号解読ができるようになり、他人には権利情報を解読できなく秘密情報の保護が計れることになる。
【００７６】
放送局１０１の放送サーバ１０４は、登録された前記権利情報を暗号化する際に使用される暗号化方式情報を個別視聴者ごとに管理する。暗号化方式情報を個別視聴者ごとに管理することにより、当該視聴者が当選した場合には、登録されている権利情報を暗号化する際に使用される暗号化方式情報を用いて、権利情報の暗号化を行い、データ放送で放送する。
【００７７】
暗号化された権利情報をデータ放送経由にて受信した携帯ＴＶ受信端末１０２では、自分が登録した暗号化方式で暗号化された権利情報の暗号解読を試みる。もし暗号解読ができなければ、自分は当選者ではないことが判明する。もし、暗号の解読に成功した場合は、自分が当選者であることが判明し、解読された権利情報を、電子チケットなどの形態として、携帯ＴＶ受信端末１０２内に保存する。
【００７８】
この電子チケットは、クイズ番組や懸賞番組などを提供したスポンサー企業１０３の商品やサービスの景品との引換をする権利として提供されるものである。その内容は商品や景品との引換券（商品券）として電子的に権利情報が携帯ＴＶ受信端末１０２に記録されているものである。クイズへの正解者が選定されたり、懸賞応募者から抽選で当選者が決定されたことにより、正解者や当選者は後で、電子チケットに記録してある携帯ＴＶ受信端末１０２を持参してスポンサー企業１０３が提携している店舗に出向く。そして店舗システム１０５のＰＯＳレジスタ４０３で電子チケットを読み込んで貰い該当の商品やサービスの景品を得るものである。
【００７９】
商品やサービスの景品などを提供している視聴者参加型双方向番組を提供しているスポンサー企業１０３は、当選者に向けた商品を店舗システム１０５を運営している店舗に発送している。当選した視聴者は、権利情報から生成した電子チケットなどを保存している携帯ＴＶ受信端末１０２を店舗システム１０５を運営している店舗に持参する。そして、店舗システム１０５のＰＯＳレジスタ４０３で電子チケットを読み込むことにより当選した視聴者は、該当の商品やサービスの景品を得ることができる。
【００８０】
図２は本実施の形態の携帯ＴＶ受信端末を示す構成図である。図２を参照すると、図１に示す携帯ＴＶ受信端末１０２の詳細が示されている。携帯ＴＶ受信端末１０２は、ユーザーインタフェース部２１１の作用により、放送受信部２０１、受信データ解析部２０２、放送コンテンツ提示部２０３、表示装置および音声再生装置２０４を動作させる。
【００８１】
携帯ＴＶ受信端末１０２は、放送局１０１から到来した放送波を選局して受信し、デジタル放送コンテンツを解析するとともに、映像・音声放送の提示を行っている。また、受信した番組が視聴者参加型の双方向番組である場合には、ユーザーインタフェース部２１１の操作により、受信中の番組に参加することが可能である。
【００８２】
この場合、表示装置および音声再生装置２０４で提示中の番組に対して、ユーザーインタフェース部２１１からクイズの回答や、懸賞への応募情報を入力する。入力されたクイズの回答や、懸賞への応募情報は、通信制御部２１０によりインターネット１０６経由にて、放送局１０１に送信することができる。
【００８３】
またその際に、応募するクイズや懸賞に当選した場合に受信することになる権利情報２０７を暗号化して放送してもらう登録を行っておく。暗号化方式指定制御部２０９の作用によって、権利情報２０７を暗号化して放送してもらう。そのための暗号化方式指定情報を、通信制御部２１０によりインターネット１０６経由にて、放送局１０１に送信し登録する。
【００８４】
参加したクイズや懸賞に当選した場合、放送局１０１は、当選した商品やサービスの景品を提供するための権利情報をデータ放送コンテンツとして放送する。放送する際に、前記当選者が登録した暗号化方式指定情報を用いて暗号化を施して放送する。携帯ＴＶ受信端末１０２は、放送受信部２０１、受信データ解析部２０２の作用で受信した放送コンテンツからデータ放送コンテンツを取り出す。さらにその中から暗号化された権利情報２０７を取り出す。
【００８５】
取り出された暗号化された権利情報２０７は、権利情報暗号解読制御部２０５の作用により、暗号化方式指定制御部２０９が送出、登録した暗号化方式指定情報を用いて暗号解読を試みる。ここで、暗号解読ができなかった場合には、クイズや懸賞には当選しなかったものと判断する。もし、ここで暗号の解読に成功した場合には、クイズや懸賞に当選したことと判断し、権利情報２０７を取り出すことができる。この権利情報２０７は、そのままのデータ形態か、または、電子チケットで予め決められたデータ形態に変換されて、権利情報蓄積部２０６に蓄積される。
【００８６】
クイズや懸賞に当選した視聴者は、権利情報２０７を携帯ＴＶ受信端末１０２内の権利情報蓄積制御部２０６内に蓄積した状態で、コンビニなどの店舗システム１０５を運用している店舗に行く。そこでクイズや懸賞に当選した視聴者は、権利情報２０７（電子チケット）を行使して、商品やサービスの景品を受け取ることができる。
【００８７】
権利情報２０７（電子チケット）を行使する場合、携帯ＴＶ受信端末１０２内の権利情報蓄積制御部２０６内に蓄積した権利情報２０７を、コンビニなどの店舗システム１０５に送る。この送信は権利情報行使制御部２０８の制御のもとに、通信制御部２１０からコンビニなどの店舗システム１０５に、赤外線を使用したデータ通信に基づく通信により送信することで行われる。赤外線を使用したデータ通信としてＩｒＤＡ（Ｉｎｆｒａｒｅｄ  Ｄａｔａ  Ａｓｓｏｃｉａｔｉｏｎ：この団体が規格化している赤外線を使用したデータ通信）が使用される。
【００８８】
図３は放送サーバを示す構成図である。図３を参照すると、図１に示す放送局１０１が管理する放送サーバ１０４の詳細が示されている。
【００８９】
放送サーバ１０４は、通信制御部３０１、双方向番組応募受付制御部３０２と暗号化方式情報受信部３０３が備わっている。放送サーバ１０４は、視聴者参加型のクイズなどの双方向番組が開始されると、視聴者からの応募を待ち受ける。視聴者からの応募は、インターネット１０６経由で通信制御部３０１に受信され、双方向番組応募受付制御部３０２で応募情報３０５を処理して、応募情報蓄積部３０４に逐次蓄積する。
【００９０】
この際に、視聴者から同時にまたはあらかじめ、当選時の権利情報２０７を放送する際に暗号化を行うための暗号化方式指定情報を受信するために、暗号化方式情報受信部３０３が作用する。ここで受信し取得された暗号化情報３０６は、前記各視聴者から受信した応募情報３０５と関連付けて応募情報蓄積部３０４内に蓄積する。応募情報蓄積部３０４には、当該双方向番組に応募したすべての視聴者の応募情報３０５が一時的に蓄積されることになる。
【００９１】
一方、番組の進行によりクイズや懸賞の当選者が選出される。選出された場合、双方向番組当選者選択制御部３０７の作用により、応募情報蓄積部３０４に蓄積されている複数の応募情報３０５から、当選者に該当するデータを検索する。双方向番組当選者選択制御部３０７は検索された応募情報３０５に対応する暗号化情報３０６を抽出する。抽出された暗号化情報３０６は暗号化処理部３０９に送られ、権利情報生成部３０８が生成する権利情報の暗号化を行う。複数の当選者が存在する場合には、この動作が複数回実行される。
【００９２】
暗号化された権利情報２０７は、放送局１０１の放送送信システムからデータ放送として放送される。なお、放送サーバ１０４の機能としては、権利情報２０７を生成する機能以外にも通常の放送コンテンツを生成する機能も有している。
しかし、本実施の形態には直接関連性がないため、図や説明を省略している。
【００９３】
図４は店舗システムを示す構成図である。図４を参照すると、図１に示す店舗システム１０５の詳細が示されている。店舗システム１０５には通信制御部４０１があり、インターネット１０６経由で番組を提供しているスポンサー企業１０３から放送を通して提供する商品や、サービスの景品の権利情報に関するデータが配信される。配信された権利情報４０７，４０８，４０９，４１０，４１１は権利情報蓄積制御部４０２に蓄積される。
【００９４】
一方、クイズや懸賞に当選した視聴者が、権利情報２０７を蓄積した携帯ＴＶ受信端末１０２をもって店舗システム１０５の店舗に来店する。来店した場合、権利情報２０７は電子チケットとしてＰＯＳレジスタ４０３で読み取られる。読み取られた電子チケットは権利情報受付処理部４０４で、スポンサー企業１０３が提供する商品や、サービスの景品の権利情報に復元される。復元された権利情報は、権利情報照合制御部４０５の作用により照合処理が行われる。復元された権利情報は、権利情報蓄積制御部４０２内に蓄積されている権利情報４０７，４０８，４０９，４１０，４１１と照合され、一致した権利情報が当選した視聴者が得られるスポンサー企業１０３が提供する商品や、サービスの景品になる。
【００９５】
店舗システム１０５は、権利情報蓄積制御部４０２内の権利情報４０７，４０８，４０９，４１０，４１１に示されている商品やサービスを提供するだけでなく、決済のための通信を行う。商品やサービスの景品を提供した店舗システム１０５は、権利情報決済処理部４０６の作用により、通信制御部４０１によりインターネット１０６を経由して決済のための通信を行う。この通信を通して、店舗システム１０５は、放送局１０１またはスポンサー企業１０３との間で決済処理を行う。
【００９６】
次に、本発明の第１の実施の形態の動作について、図５、図６、および図７を参照して詳細に説明する。図５は双方向番組に対する複数の視聴者からの応募処理の動作に関する実施の形態の動作を示す流れ図である。図６は番組の進行によりクイズや懸賞の当選者が選定された際の放送サーバの動作に関する実施の形態の動作を示す流れ図である。また、図７は視聴者がデータ放送を受信して当選の有無や当選した場合の権利情報の取り出しと権利行使の動作に関する実施の形態の動作を示す流れ図である。
【００９７】
まず、図５を参照して、双方向番組に対する複数の視聴者からの応募処理の動作について説明する。
【００９８】
放送局１０１は双方向番組の放送を開始し、同時に放送サーバ１０４に双方向番組コンテンツに関するデータを入力する（ステップＳ１）。視聴者を番組に参加させるために必要なデータ放送コンテンツの生成を行う（ステップＳ２）。視聴者参加型双方向番組の放送が開始される（ステップＳ３）。
【００９９】
当該番組を視聴中の参加意向を持った視聴者１、視聴者２、視聴者３、および視聴者ｎは、それぞれ応募情報を作成して通信経由（インターネット１０６経由）にて双方向番組に応募する（ステップＳ４）。この時点で同時に、当選した場合に権利情報を自分宛に取得するために自分のみが解読可能な暗号化情報も同時に送信する。この暗号化情報は、例えば、ＰＫＩに基づく公開鍵などが相当する（ステップＳ５）。ＰＫＩに基づく公開鍵は公開鍵暗号方式を利用したセキュリティインフラである「公開鍵暗号基盤」ＰＫＩ（Ｐｕｂｌｉｃ  Ｋｅｙ  Ｉｎｆｒａｓｔｒｕｃｔｕｒｅ）に準じる公開鍵暗号手段である。公開鍵を提供する手段を有することにより、放送局１０１に自分の公開暗号鍵を開示する。もし自分が懸賞などに当選した場合には、放送局１０１は自分の公開暗号鍵で暗号化された（権利情報を含む）データ放送コンテンツを放送する。そのため、受信した暗号化コンテンツは、自分のみが保有している秘密鍵を用いて暗号を解読することが可能である。それ以外の視聴者は（権利情報を含む）データ放送コンテンツを受信することはできる。しかし、データ放送コンテンツが放送で流れても自分以外の視聴者は暗号を解読することはできない。そのため、データ放送を利用して、データ放送コンテンツを放送しても、他人には解読できないセキュリティが保たれた特定の視聴者宛に権利情報の配信を行うことが可能となる。
【０１００】
これは、暗号化がコンテンツ（権利情報を含む）全体に対して一意である権利情報をデータ放送コンテンツとして放送しようとした場合、全体に対して一意のまま放送してしまうと放送コンテンツに対する暗号化がコンテンツ全体に対して一意である。そのため受信した視聴者すべてに対して一意になり、当選した視聴者以外も、一意の暗号化情報を容易に受信している他の視聴者から入手することができる。そのため、すべての視聴者に暗号化情報が一意であるため容易に他人から入手し、権利情報を解読して使うことがでようになるためリアルタイムに権利情報で放送付与することはできなかった。
【０１０１】
放送サーバ１０４は複数の視聴者からの応募情報と暗号化情報を関連付けて応募情報蓄積部３０４に視聴者対応に応募情報３０５と暗号化情報３０６として蓄積する（ステップＳ６）。
【０１０２】
ここで放送サーバ１０４は、視聴者が番組に参加する資格あるかどうかの判定条件を付ける参加番組の場合は、応募情報により参加資格を判定し当選を決定することができる。これは後の第３の実施の形態に説明するように携帯ＴＶ受信端末１０２に備えられた視聴履歴管理部９０１に放送の視聴履歴として記録されている視聴情報から参加資格が判定されるものである。それは番組制作者または番組提供者の要求する視聴時間、または視聴シーンである。またはデータ放送を録画して視聴を行ったかが記録されていることによるものである。これらの応募情報を放送サーバ１０４が視聴者から受信することにより、放送サーバ１０４が番組に参加する資格がある視聴者のみを応募情報を参照することにより識別できる。データ放送を録画して権利を取得する資格がある視聴者を判定するには、視聴履歴情報に録画情報と共に、録画情報として録画された時間および期間を記録する。これらの応募情報を放送サーバ１０４が視聴者から受信することにより、放送サーバ１０４が番組に参加する資格がある視聴者のみを応募情報を参照することにより識別できる。それにより、番組制作者または番組提供者の要求する視聴を録画により行った視聴者が権利を取得できるかを制御できる。または、録画された時間および期間を記録してあることにより番組制作者または番組提供者の要求する視聴時間または視聴シーンに録画により視聴を行った視聴者が権利を取得できるかを制御できる。
【０１０３】
また、放送サーバ１０４は応募された応募情報３０５と暗号化情報３０６を管理し集計して放送局１０１の放送中の番組に報告する（ステップＳ７）。
【０１０４】
つぎに、図６を参照して、番組の進行によりクイズや懸賞の当選者が選定された際の放送サーバ１０４の動作について説明する。
【０１０５】
放送局１０１は番組の進行により当選者が選定されたときに当選者情報を放送サーバ１０４に入力する（ステップＳ８）。放送サーバ１０４では、入力された当選者情報をもとに検索照合処理を行う。これは応募情報蓄積部３０４に視聴者対応に応募情報３０５と暗号化情報３０６として蓄積されている各視聴者からの応募情報を双方向番組当選者選択制御部３０７が検索照合する（ステップＳ９）。
【０１０６】
また、放送局１０１は、当選した権利（当選した商品やサービスの景品）情報を入力する（ステップＳ１０）。放送サーバ１０４は入力された権利情報をもとに、データ放送コンテンツとして権利情報コンテンツを生成する（ステップＳ１１）。
【０１０７】
前記照合結果から、双方向番組当選者選択制御部３０７は当選者の応募情報に関連付けられて蓄積されている暗号化情報を抽出する。そして暗号化処理部３０９は生成された権利情報コンテンツを前記暗号化情報に基づいて暗号化を行う（ステップＳ１２）。もし、当選者が複数存在する場合には、この動作が複数回実行される。
【０１０８】
放送サーバ１０４は、暗号化されたデータ放送コンテンツを放送局１０１に出力する（ステップＳ１３）。放送局１０１は、生成された暗号化された権利情報を含むデータ放送コンテンツをデータ放送として放送する（ステップＳ１４）。
【０１０９】
つぎに、図７を参照して、視聴者がデータ放送を受信して当選の有無や当選した場合の権利情報の取り出しと権利行使に関する動作を説明する。
【０１１０】
放送局１０１から暗号化されたデータ放送コンテンツを含むデータ放送が行われる（ステップＳ１４）。これと同時に、放送サーバ１０４はデータ放送で配信された権利情報コンテンツとそれに対応する権利の内容（商品やサービスの景品の内容）を示すデータを店舗システム１０５に配信する（ステップＳ１５）。
【０１１１】
前記データ放送を受信した携帯ＴＶ受信端末１０２は、暗号化された権利情報を含むデータ放送コンテンツを取り出し、自分が指定した暗号化方式を用いて暗号の解読を試みる。暗号解読に際しては、例えば、ＰＫＩに基づく自分の秘密鍵を用いて暗号解読を試みる（ステップＳ１６）。もし、自分が当選者である場合には、図５、図６の動作を示す流れ図で示したように、応募時に自分の公開鍵を暗号化情報として提供している。そのため、ここで受信した暗号化されている権利情報は自分の公開鍵で暗号化されているはずであり、この場合、自分のみが保有している秘密鍵でのみ暗号の解読が可能となる。
【０１１２】
当選した視聴者１、視聴者ｎは、権利情報を取り出すことができる（ステップＳ１６）。当然のことであるが、自分が当選者でない場合には、自分の保有する秘密鍵では暗号を解読することはできない。
【０１１３】
取り出した権利情報は、店舗システム１０５のＰＯＳレジスタ４０３で権利行使ができるデータ（例えば電子チケットのデータ情報など）に変換される。変換したデータは携帯ＴＶ受信端末１０２内に蓄積する（ステップＳ１７）。
【０１１４】
この権利情報を取得した視聴者（当選者）は店舗システム１０５のある店舗に出向き、権利情報の電子チケットなどをＰＯＳレジスタ４０３に提示する。ここで、ＰＯＳレジスタ４０３と携帯ＴＶ受信端末１０２のデータの送受信はＩｒＤＡ（Ｉｎｆｒａｒｅｄ  Ｄａｔａ  Ａｓｓｏｃｉａｔｉｏｎ：この団体が規格化している赤外線を使用したデータ通信）に基づく通信により行われる。権利情報の電子チケットなどをＰＯＳレジスタ４０３に提示することにより、付与された権利を行使することが可能となる（ステップＳ１８）。店舗システム１０５は権利行使された情報に基づきその決済を行うために放送局１０１またはスポンサー企業１０３と通信し、決済処理を行う（ステップＳ１９）。
【０１１５】
次に、本発明の第２の実施の形態について、図８を参照して詳細に説明する。
【０１１６】
図８は第２の実施の形態の店舗システムを示す構成図である。
【０１１７】
本発明の第２の実施の形態として、その基本的構成は上記の第１の実施の形態通りである。しかし、店舗に来店して権利を行使した場合の情報流通についてさらに工夫している。その構成を図８に示す。図８において、権利を行使しようとして権利情報をＰＯＳレジスタ４０３に入力した場合、個人情報入力処理部８０１の作用により、同時に視聴者の個人情報を送信するように促す。店舗システム１０５に、入手した個人情報を一時的に格納する。
【０１１８】
この入手した個人情報は権利行使による決済処理が行われる際に通信制御部４０１により、放送局１０１、さらにスポンサー企業１０３に提供され、プロモーション活動の一助として活用できる。今時、個人情報の要求に際しては、携帯ＴＶ受信端末１０２側で視聴者のパーミッションを求めることも考えられる。
【０１１９】
次に、本発明の第３の実施の形態について、図９を参照して詳細に説明する。
【０１２０】
図９は第３の実施の形態の携帯ＴＶ受信端末を示す構成図である。本発明の第３の実施の形態として、その基本的構成は上記の第１の実施の形態通りである。
【０１２１】
しかし、権利情報をデータ放送にて受信する場合の条件についてさらに工夫している。その構成を図９に示す。
【０１２２】
視聴者参加型の双方向番組に応募した視聴者は、番組進行中に選定された当選者に対する権利情報をあらかじめ登録した自分専用の暗号化情報に基づく暗号化を施して配信を受ける構成は上記の第１の実施の形態と同様である。
【０１２３】
但し、視聴者は携帯ＴＶ受信端末１０２により双方向番組を視聴するとき、通常の一般電話通信でない操作を行う。この操作は放送を受信するために放送受信の受信ボタンを押下する。受信ボタンを押下することにより放送番組を受信するのを開始する。受信ボタンの押下により双方向番組を視聴すると同時に携帯ＴＶ受信端末１０２に備えられた視聴履歴管理部９０１が放送番組の視聴履歴情報の記録を開始する。視聴履歴管理部９０１の作用により、当該番組の視聴履歴情報が管理されている。この管理により放送による権利情報の配信システムは番組提供者であるスポンサー企業１０３のデマンドを満たす視聴を行っていた視聴者にのみ権利を付与する構成が取れる。
【０１２４】
例えば、クイズや懸賞に応募した時点でいったん視聴をやめてしまう。その後、データ放送で権利情報が配信される時点で視聴を再開した場合、視聴を中断している間で放映されるスポンサー企業１０３のＣＭやプロモーションを視聴していない。そのため、このような視聴者には当選の権利はなしと判断して、端末内の視聴履歴管理部９０１の作用により、受信した権利情報を破棄することも可能である。
【０１２５】
またもちろん、クイズや懸賞に応募した後に、視聴をやめてしまった場合には、その後放送される暗号化された権利情報を含むデータ放送コンテンツを受信することができない。そのため、権利を取得することはできないことになる。
【０１２６】
従来のシステムでは、当選の通知や権利情報の配信は、放送とは独立した通信、伝達システム（例えば、電子メールや郵便、宅配など）により行っていた。しかし、本発明では権利情報がその番組中にリアルタイム（実時間）で放送により配信される。そのため、端末内の視聴履歴管理部９０１の作用により、その番組の視聴履歴情報と関連付けることができる。そのため、当該番組を視聴中の視聴者のみに当選の権利を付与するといったサービスが実現可能となる。そのことから、視聴者参加型の双方向番組において、クイズや懸賞に当選した場合の景品を得るための権利を、そのテレビ番組をリアルタイムに視聴している視聴者にのみ与えるというサービスが可能となる。
【０１２７】
また、スポンサー企業１０３は、テレビ番組をリアルタイムに番組中のべず視聴していなくても特定の条件を満たした視聴者にのみクイズや懸賞に当選した場合の景品を得るための権利を与えるというサービスを実施できる。
【０１２８】
また、データ放送を録画して権利を取得することも構成によっては可能であるが、これも、視聴履歴管理部９０１の作用により制御することが可能である。これは、例えば、録画による視聴にて取得されたことを識別するための録画情報が当該番組の視聴履歴情報にに録画情報として記録される。録画情報として録画された時間および期間を記録する。それにより、番組制作者または番組提供者の要求する視聴を録画により行った視聴者が権利を取得できるかを制御できる。または、録画された時間および期間を記録してあることにより番組制作者または番組提供者の要求する視聴時間または視聴シーンに録画により視聴を行った視聴者が権利を取得できるかを制御できる。
【０１２９】
データ放送を録画する場合は通常、携帯ＴＶ受信端末１０２そのものでは録画は行わずビデオデッキで録画されるものである。ビデオデッキで録画開始ボタンを押下し録画開始の操作を行う。それとともに、携帯ＴＶ受信端末１０２に備えられた録画ボタンを押下することで携帯ＴＶ受信端末１０２に備えられた視聴履歴管理部９０１が放送番組の視聴履歴情報を記録する。そして後に、視聴者が再生を行い権利を取得することができる。
【０１３０】
このように、端末内の視聴履歴管理部９０１の作用により、番組制作者または番組提供者の要求する視聴を行った視聴者を選別できる。または、番組制作者または番組提供者の要求する視聴時間に視聴を行った視聴者、または番組制作者または番組提供者の要求する視聴シーンの視聴を行った視聴者を選別できる。または、データ放送を録画して視聴を行った視聴者を選別できる。
【０１３１】
当該番組を視聴中の視聴者のみに当選の権利を付与するといったサービスが実現可能となる制御ができる。それは、視聴者が番組に参加する時応募情報に視聴時間、視聴シーン、または録画と言った識別情報を含めた応募情報を放送サーバ１０４は視聴者から受信するからである。そして放送サーバ１０４が番組に参加する資格がある視聴者のみを応募情報を参照することにより識別できるからである。
【０１３２】
以上の実施の形態は、権利情報の放送、解読を視聴者からの指示に基づく暗号化により実施することで説明したものである。しかし、別の実施の形態として、暗号化を行う代わりに、視聴者の個人識別情報に関連付けて権利情報の放送、解読を実施することも可能である。
【０１３３】
さらに別の実施の形態として、放送コンテンツとその放送コンテンツに関連する権利情報を同時に放送するだけの構成にしておいてもよい。権利情報の権利が特に特定の視聴者に限定して提供されるものでなく、番組に参加する資格がある視聴者を問わないで提供されるものであるよな場合（だれでも、何時でも）である。特に、権利情報を暗号化して放送することもない権利情報の配信も可能である。このような場合視聴者は放送されている権利情報を無条件で放送から個人識別情報も暗号化の解読の情報も配信システムに与えることもなく獲得できることになる。
【０１３４】
以上説明したように、本実施の形態の放送による権利情報の配信システムと放送サーバと受信機と放送による権利情報の配信方法と店舗システムでの権利行使方法およびプログラムは、以下のような効果がある。
【０１３５】
従来は、視聴者参加型の双方向番組において、視聴者がクイズや懸賞で当選した場合、従来は通信経由にてメールなどでしか通知できなかった。あるいは賞品発送を持ってしか通知できなかった。それを本実施の形態によると放送番組内でリアルタイムに結果が判明する当選者に対して、放送により配信することができるようになったことである。
【０１３６】
また、クイズや懸賞の当選者に対してその景品を得るために複数の当選者に対して、放送により同時に複数の権利情報を放送し、リアルタイムに権利情報を配信することが可能となることである。
【０１３７】
また、視聴者の受信端末から、その視聴者向けの権利情報を放送する際に使用される暗号化方式（暗号鍵など）をあらかじめ指定する。暗号化方式を指定することにより、自分しか解読できない暗号により権利情報を保護してデータ放送でリアルタイムに放送し、受信することが可能となる。
【０１３８】
また、視聴者向けの権利情報を放送する際に使用される個別の暗号化方式（暗号鍵など）をあらかじめ指定する。それにより、個別に暗号化された権利情報を同時に放送し、当選した複数の視聴者に権利情報を配信することが可能となる。
【０１３９】
また、予め視聴者が登録した暗号化方式情報を用いて視聴者毎に暗号化を施して、権利情報を放送する。それにより、当選者以外の該当外の他人は権利情報を解読することができないため、他人に権利情報を盗取されることもなく、秘密情報の保護が計れることになる。
【０１４０】
また、従来のシステムでは、当選の通知や権利情報の配信は、放送とは独立した通信、伝達システム（例えば、電子メールや郵便、宅配など）により行っていた。しかし、権利情報が番組中にリアルタイムで放送により配信され、番組の視聴履歴情報と関連付けることで、そのテレビ番組をリアルタイムに視聴している視聴者にのみ与えるというサービスが可能となることである。
【図面の簡単な説明】
【０１４１】
【図１】本発明の第１の実施の形態の配信システムを示す構成図である。
【図２】本発明の第１の実施の形態の携帯ＴＶ受信端末を示す構成図である。
【図３】本発明の第１の実施の形態の放送サーバを示す構成図である。
【図４】本発明の第１の実施の形態の店舗システムを示す構成図である。
【図５】本発明の双方向番組に対する複数の視聴者からの応募処理の動作に関する実施の形態の動作を示す流れ図である。
【図６】本発明の番組の進行によりクイズや懸賞の当選者が選定された際の放送サーバの動作に関する実施の形態の動作を示す流れ図である。
【図７】本発明の視聴者がデータ放送を受信して当選の有無や当選した場合の権利情報の取り出しと権利行使の動作に関する実施の形態の動作を示す流れ図である。
【図８】本発明の第２の実施の形態の店舗システムを示す構成図である。
【図９】本発明の第３の実施の形態の携帯ＴＶ受信端末を示す構成図である。
【符号の説明】
【０１４２】
１０１    放送局
１０２    携帯ＴＶ受信端末
１０３    スポンサー企業
１０４    放送サーバ
１０５    店舗システム
１０６    インターネット
２０１    放送受信部
２０２    受信データ解析部
２０３    放送コンテンツ提示部
２０４    表示装置および音声再生装置
２０５    権利情報暗号解読制御部
２０６    権利情報蓄積部
２０７，４０７，４０８，４０９，４１０，４１１    権利情報
２０８    権利情報行使制御部
２０９    暗号化方式指定制御部
２１０，３０１，４０１    通信制御部
２１１    ユーザーインタフェース部
３０２    双方向番組応募受付制御部
３０３    暗号化方式情報受信部
３０４    応募情報蓄積部
３０５    応募情報
３０６    暗号化情報
３０７    双方向番組当選者選択制御部
３０８    権利情報生成部
３０９    暗号化処理部
４０２    権利情報蓄積制御部
４０３    ＰＯＳレジスタ
４０４    権利情報受付処理部
４０５    権利情報照合制御部
４０６    権利情報決済処理部
８０１    個人情報入力処理部
９０１    視聴履歴管理部
【図１】
2006013604.tif 000003
【図２】
2006013604.tif 000004
【図３】
2006013604.tif 000005
【図４】
2006013604.tif 000006
【図５】
2006013604.tif 000007
【図６】
2006013604.tif 000008
【図７】
2006013604.tif 000009
【図８】
2006013604.tif 000010
【図９】
2006013604.tif 000011